(57)【要約】【課題】複数の種類の形状がある外装材に対しても適切かつ確実に対応できる外装材の加工管理装置及びその方法を提供する。【解決手段】切断機械を用いて外装材を切断する際に外装材の切断管理を行う外装材の切断管理装置１０であって、建物の設計図の作製に必要な製図情報及び切断前における外装材の寸法情報に基づいて、建物に対して外装材を割り付けるための割付情報を作成する割付情報作成部１１ａと、作成した割付情報及び外装材の断面形状情報に基づいて、切断機械で切断すべき外装材を選択可能とする切断情報を作成する切断情報作成部１１ｂと、作成した切断情報を、外装材に貼着するためのシールに表示する切断情報表示部（図示外）とを備える。【選択図】  図２
2004174954.tif 000002
【特許請求の範囲】
【請求項１】
切断機械を用いて外装材を切断する際に該外装材の切断管理を行う外装材の切断管理装置であって、
建物の設計図の作製に必要な製図情報及び切断前における外装材の寸法情報に基づいて、建物に対して外装材を割り付けるための割付情報を作成する割付情報作成部と、
作成した前記割付情報及び外装材の断面形状情報に基づいて、前記切断機械で切断すべき外装材を選択可能とする切断情報を作成する切断情報作成部と、
作成した前記切断情報を、外装材に貼着するためのシールに表示する切断情報表示部とを備えることを特徴とする外装材の切断管理装置。
【請求項２】
作成した前記割付情報を前記シールに表示する割付情報表示部を備えることを特徴とする請求項１に記載の外装材の切断管理装置。
【請求項３】
切断情報表示部が表示する切断情報には、前記切断機械に対して切断命令を自動的に入力するためのコード情報を含むことを特徴とする請求項１又は請求項２に記載の外装材の切断管理装置。
【請求項４】
画像表示部を備え、
前記切断情報表示部は、作成した前記切断情報を前記画像表示部に表示することを特徴とする請求項１から請求項３のいずれか一項に記載の外装材の切断管理装置。
【請求項５】
前記切断情報作成部は、切断後における各外装材の長さ寸法の合計の値及び切断しない外装材の長さ寸法の値のうち、大きい値から順に外装材を運搬車両又は運搬車両に積み込むための台皿に積み込むための積込順序情報を作成し、
前記切断情報表示部は、作成した前記積込順序情報を前記画像表示部に表示することを特徴とする請求項４に記載の外装材の切断管理装置。
【請求項６】
前記割付情報表示部は、作成した前記割付情報を図面として出力することを特徴とする請求項１から請求項５のいずれか一項に記載の外装材の切断管理装置。
【請求項７】
割付情報作成部、切断情報作成部、切断情報表示部を備える切断管理装置を用いて外装材を切断する際に該外装材の切断管理を行う外装材の切断管理方法であって、
前記割付情報作成部が、建物の設計図の作製に必要な製図情報及び切断前における外装材の寸法情報に基づいて、建物に対して外装材を割り付けるための割付情報を作成するステップと、
前記切断情報作成部が、作成した前記割付情報及び外装材の断面形状情報に基づいて、切断機械で切断すべき外装材を選択可能とする切断情報を作成するステップと、
前記切断情報表示部が、作成した前記切断情報を、外装材に貼着するためのシールに表示するステップとからなることを特徴とする外装材の切断管理方法。
【請求項８】
前記切断管理装置が割付情報表示部を備え、
前記割付情報表示部が、作成した前記割付情報を前記シールに表示するステップを含むことを特徴とする外装材の切断管理方法。
【発明の詳細な説明】
【０００１】
【発明の属する技術分野】
本発明は、建物に割り付けられる外装材を切断するに際して該外装材の切断管理を行う場合に用いられる外装材の切断管理装置及び外装材の切断管理方法に関する。
【０００２】
【背景の技術】
従来の切断管理装置としては、外装材に用いられるものはなく、例えば切断機械を用いてログハウスにおける丸太材を切断する際に切断管理を行うものであって、ログハウスの設計図の作製に必要な製図情報及び切断前における丸太材の寸法情報に基づいて、ログハウスに対して丸太材を割り付けるための割付情報を作成する割付情報作成部と、作成した割付情報に基づいて、切断作業者が丸太材を切断するための切断情報を作成する切断情報作成部と、作成した割付情報を丸太材に表示する割付情報表示部と、作成した切断情報に基づいて切断機械に対して切断命令を自動的に入力する自動入力部とを備えるものが開示されている（例えば、特許文献１参照）。
このような丸太材用の切断管理装置によれば、切断情報を作成することにより切断機械への切断命令が自動的に入力されることとなり、切断作業者が切断機械を用いて行う丸太材の切断作業について作業効率の向上効果が確実かつ十分に得られることとなる。
【０００３】
【特許文献１】
特開２０００−３４３５０８号公報
【０００４】
【発明が解決しようとする課題】
ところで、サイディングのような外装材は、切断作業者が切断機械を用いてあらかじめ切断を行う必要がある点で、丸太材と共通している。
【０００５】
しかしながら、外装材は、雨仕舞い等のためのさねを有していることなどから、さねの形状の違いなどによって複数の種類の形状がある点で、通常単一の種類の形状しかないログハウスにおける丸太材と異なっている。
したがって、作成した切断情報に基づく切断機械への切断命令を自動的に入力するだけの従来の切断管理装置では、切断作業者が複数の種類の外装材中から次に切断機械にセットすべき外装材を選定することが不可能となり、切断作業者が切断機械を用いて行う丸太材の切断作業について作業効率の向上効果が確実かつ十分に得られない場合も起こり得る。
そこで、本発明の課題は、複数の種類の形状がある外装材に対しても適切かつ確実に対応できる外装材の切断管理装置及びその方法を提供することである。
【０００６】
【課題を解決するための手段】
上記課題を解決するため、請求項１に記載の発明は、例えば図２に示すように、切断機械を用いて外装材を切断する際に外装材の切断管理を行う外装材の切断管理装置１０であって、建物の設計図の作製に必要な製図情報及び切断前における外装材の寸法情報に基づいて、建物に対して外装材を割り付けるための割付情報を作成する割付情報作成部１１ａと、作成した割付情報及び外装材の断面形状情報に基づいて、切断機械で切断すべき外装材を選択可能とする切断情報を作成する切断情報作成部１１ｂと、作成した切断情報を、外装材に貼着するためのシールに表示する切断情報表示部（図示外）とを備えることを特徴としている。
【０００７】
請求項１に記載の発明によれば、切断機械で切断すべき外装材を選択可能とする切断情報をシールを通じて有することとなるので、切断作業者は複数の種類の外装材中から次に切断機械にセットすべき外装材を選定することが可能となり、複数の種類の形状がある外装材に対しても適切かつ確実に対応することが可能となる。
【０００８】
したがって、切断作業者が切断機械を用いて行う外装材の切断作業について作業効率の向上効果が確実かつ十分に得られることが可能となる。
【０００９】
また、請求項２に記載の発明は、例えば図２に示すように、請求項１に記載の外装材の切断管理装置１０において、作成した割付情報をシールに表示する割付情報表示部（図示外）を備えることを特徴としている。
【００１０】
請求項２に記載の発明によれば、現場作業者が建物に対して外装材を割り付けるための割付情報をシールを通じて有することとなるので、現場作業者が建物に対して行う外装材の取付作業について作業効率の向上効果が得られることが可能となる。
【００１１】
さらに、請求項３に記載の発明は、例えば図４に示すように、請求項１又は請求項２に記載の外装材の切断管理装置１０において、切断情報表示部が表示する切断情報４３には、切断機械に対して切断命令を自動的に入力するためのコード情報４２ａを含むことを特徴としている。
【００１２】
請求項３に記載の発明によれば、コード情報４２ａの自動読取装置を用いることにより切断機械に対して切断命令が自動的に入力されることとなり、切断作業者が切断機械を用いて行う外装材の切断作業について作業効率の向上効果が確実かつ十分に得られることが可能となる。
【００１３】
さらにまた、請求項４に記載の発明は、例えば図２に示すように、請求項１から請求項３のいずれか一項に記載の外装材の切断管理装置１０において、画像表示部１２ａを備え、切断情報表示部（図示外）は、作成した切断情報を画像表示部１２ａに表示することを特徴としている。
【００１４】
請求項４に記載の発明によれば、切断作業者が次に切断すべき外装材を選定するに際しての過誤を相当に少なくすることが可能となり、複数の種類の形状がある外装材に対してより適切かつ確実に対応することが可能となる。
【００１５】
また、請求項５に記載の発明は、例えば図６に示すように、請求項４に記載の外装材の切断管理装置において、切断情報作成部は、切断後における各外装材の長さ寸法の合計の値及び切断しない外装材の長さ寸法の値のうち、大きい値から順に外装材を運搬車両又は運搬車両に積み込むための台皿に積み込むための積込順序情報６１を作成し、切断情報表示部（図示外）は、作成した積込順序情報６１を画像表示部に表示することを特徴としている。
【００１６】
請求項５に記載の発明によれば、運搬車両又は運搬車両に積み込むための台皿に積み込む順序を顧慮することが可能となり、運搬車両又は運搬車両に積み込むための台皿に対して切断した外装材の積み込みを行う積込作業者の作業効率の向上効果が得られることが可能となる。
【００１７】
また、請求項６に記載の発明は、例えば図２に示すように、請求項１から請求項５のいずれか一項に記載の外装材の切断管理装置において、割付情報表示部（図示外）は、作成した割付情報を図面として出力することを特徴としている。
【００１８】
請求項６に記載の発明によれば、割付情報を出力した割付図等を運搬車両で外装材とともに現場まで搬送することが可能となり、これにより、無駄な経費を可及的に節約することが可能となる。
【００１９】
一方、請求項７に記載の発明は、例えば図２及び図８に示すように、割付情報作成部１１ａ、切断情報作成部１１ｂ、切断情報表示部（図示外）を備える切断管理装置１０を用いて外装材の切断管理を行う外装材の切断管理方法であって、割付情報作成部１１ａが、建物の設計図の作製に必要な製図情報及び切断前における外装材の寸法情報に基づいて、建物に対して外装材を割り付けるための割付情報を作成するステップ１と、切断情報作成部１１ｂが、作成した割付情報及び外装材の断面形状情報に基づいて、切断機械で切断すべき外装材を選択可能とする切断情報を作成するステップ２と、切断情報表示部（図示外）が、作成した切断情報を、外装材に貼着するためのシールに表示するステップ３とからなることを特徴としている。
【００２０】
請求項７に記載の発明によれば、切断機械で切断すべき外装材を選択可能とする切断情報をシールを媒体として有することとなるので、切断作業者は複数の種類の外装材中から次に切断機械にセットすべき外装材を選定することが可能となり、複数の種類の形状がある外装材に対しても適切かつ確実に対応することが可能となる。
【００２１】
したがって、切断作業者が切断機械を用いて行う外装材の切断作業について作業効率の向上効果が確実かつ十分に得られることが可能となる。
【００２２】
また、請求項８に記載の発明は、例えば図２及び図８に示すように、請求項７に記載の外装材の切断管理方法において、切断管理装置１０が割付情報表示部（図示外）を備え、割付情報表示部が、作成した割付情報をシールに表示するステップ４を含むことを特徴としている。
【００２３】
請求項８に記載の発明によれば、現場作業者が建物に対して外装材を割り付けるための割付情報をシールを通じて有することとなるので、現場作業者が建物に対して行う外装材の取付作業について作業効率の向上効果が得られることが可能となる。
【００２４】
【発明の実施の形態】
以下、添付図面に基づいて本発明の実施の形態を詳細に説明する。
【００２５】
［外装材の切断管理装置１０］
図１は本発明の一実施の形態に係る外装材の切断管理装置の概略構成を示すブロック図、図２は同外装材の切断管理装置の全体構成を示すブロック図、図３は同外装材の切断管理装置の機能を説明する画面図、図４は同外装材の切断管理装置の機能を説明する図（図４（ａ）は画面図、図４（ｂ）は表面図）、図５は同外装材の切断管理装置の機能を説明する印字図、図６は同外装材の切断管理装置の機能を説明する画面図、図７は同外装材の切断管理装置の機能を説明する図（図７（ａ）は平面図、図７（ｂ）は断面図）である。
【００２６】
本実施の形態において、外装材の切断管理装置１０は、図１に示すように、切断機械を用いて外装材を切断する際に外装材の切断管理を行うものとして構成されている。
【００２７】
また、本実施の形態において、切断作業者１は、同図に示すように、制御部２１、入力部１２ｃ及び機械部２３からなるＮＣ切断機械２０を用いて外装材の切断を行うこととなっている。
【００２８】
具体的には、この外装材の切断管理装置１０は、図１及び図２に示すように、バス線Ｂと、これに接続される各装置である、主制御部１１、入出力部１２と、通信制御部１３とからなっている。
【００２９】
主制御部１１は、図示しないが、中央演算処理装置（以下「ＣＰＵ」という）、ランダムアクセスメモリ（以下「ＲＡＭ」という）、リードオンリーメモリ（以下「ＲＯＭ」という）などからなっており、この外装材の切断管理装置１０を統括的に制御する機能を果たすものとして構成されている。
【００３０】
具体的には、この主制御部１１は、図２に示すように、割付情報作成部１１ａと、切断情報作成部１１ｂと、切断情報表示実行部１１ｃと、割付情報表示実行部１１ｄとからなっている。
【００３１】
また、入出力部１２は、同図に示すように、表示画面を有する画像表示部１２ａとしてのモニタ及び印字表示部１２ｂとしてのプリンタの他、図示しないが、製図情報を入力するための入力部１２ｃとしてのキーボード及びマウスなどがＩ／Ｏ装置を介して接続されている。
【００３２】
さらに、通信制御部１３は、図示しないが、ＴＣＰ／ＩＰに従って通信を行う機能を有しており、同一企業内同士を接続した通信網であるＬＡＮを介して各種データの送受信を実現する。
【００３３】
本実施の形態において、この外装材の切断管理装置１０が果たす機能に着目すれば、この外装材の切断管理装置１０は、図２に示すように、割付情報作成部１１ａ、切断情報作成部１１ｂ、切断情報表示部（図示外）及び割付情報表示部（図示外）の各装置を備えるものとして構成されている。
【００３４】
すなわち、この外装材の切断管理装置１０には、これらの各装置の機能を実現させるためのプログラムが格納されており、プログラムが必要に応じて展開・起動している。
【００３５】
つまり、このようなプログラムには、外装材の切断管理装置１０たるコンピュータを、割付情報作成部１１ａ、切断情報作成部１１ｂ、切断情報表示部（図示外）及び割付情報表示部（図示外）として機能させるものが含まれる。
【００３６】
以下、この外装材の切断管理装置１０を構成する各装置についてさらに詳細に説明する。なお、ここでは、これらの各装置が一箇所に存在する場合について説明するが、これに限られるものではなく、これらの各装置がＬＡＮその他の通信網を介して散在する場合でも、以下の説明が妥当する。
【００３７】
（１）割付情報作成部１１ａ
割付情報作成部１１ａは、建物の設計図の作製に必要な製図情報及び切断前における外装材の寸法情報に基づいて、建物に対して外装材を割り付けるための割付情報を作成する機能を果たすものとして構成されている。
【００３８】
具体的には、この割付情報作成部１１ａとしては、例えば図４（ａ）に示すような、外装材の出荷先を示す出荷種類４１ａ、建物における階数を示す階層４１ｂ、同一の建物であるか否かの別を示す施工連番４１ｃ、外装材の小分類を示す枝番４１ｄ、廃材か製品かの別を示すとともに現場におけるアドレスとなる製品の連番を示す組付連番４１ｅ等を含む割付情報４１を作成するものが用いられている。
【００３９】
（２）切断情報作成部１１ｂ
切断情報作成部１１ｂは、作成した割付情報及び外装材の断面形状情報に基づいて、ＮＣ切断機械２０で切断すべき外装材を選択可能とする切断情報を作成する機能を果たすものとして構成されている。
【００４０】
具体的には、この切断情報作成部１１ｂとしては、例えば図４（ａ）に示すような、素材親ナンバー４１ｆ、同一素材親内における列情報の連番を示す素材子ナンバー４１ｇ等を含む切断情報４１を作成するものが用いられている。
【００４１】
なお、切断情報作成部１１ｂが作成する切断情報には、図示しないが、施主を特定するための施主情報、外装材の大分類を示すクラスティング情報を含んでいる。
【００４２】
ここで、切断情報作成部１１ｂが作成する切断情報には、外装材の取付部位に応じたクリアランス（空き）を見込んで設定される外装材の製作寸法情報を含んで構成される。
【００４３】
これにより、より精度の高い外装材の切断が実現することとなり、その結果、建物に対して外装材を取り付ける現場作業者の作業効率の向上効果が得られることとなっている。
【００４４】
また、切断情報作成部１１ｂは、さらに、切断後における各外装材の長さ寸法の合計の値及び切断しない外装材の長さ寸法の値のうち、大きい値から順に外装材を運搬車両又は運搬車両に積み込むための台皿に積み込むための積込順序情報を作成する機能を果たすものとして構成されている。
【００４５】
これによって、後記する切断情報表示部を作成した積込順序情報６１を画像表示部１２ａに表示する機能を果たすものとして構成することにより、運搬車両又は運搬車両に積み込むための台皿に積み込む順序が十分に顧慮されることとなり、これにより、運搬車両又は運搬車両に積み込むための台皿に対して切断した外装材の積み込みを行う積込作業者の作業効率の向上効果が得られる。
【００４６】
（３）切断情報表示部
切断情報表示部は、作成した切断情報を、外装材に貼着するためのシールに表示する機能を果たすものとして構成されている。
【００４７】
具体的には、切断情報表示部は、切断情報表示実行部１１ｃと、印字表示部１２ｂと、画像表示部１２ａとを含んで構成される（図２参照）。
【００４８】
ここで、切断情報表示実行部１１ｃは、作成した切断情報の出力を印字表示部１２ｂを用いた印字表示により外装材に貼着するためのシール４２を通じて実行する機能を果たす。
【００４９】
具体的には、この切断情報表示実行部１１ｃとしては、例えば図４（ｂ）に示すような、工場プレカット分か現場切断分かの別を示す施工連番４３ａ、外装材の種類、品番、さね形状、色を示す外装材情報４３ｂ、どのような種類の外装材をどのような長さ寸法に切断するのか又は切断しないのかを示す切断命令情報４３ｅを含むもの等の切断情報４３をシール４２の表面において表示するものが用いられている。
【００５０】
ここで、切断情報表示部が表示する切断情報には、ＮＣ切断機械２０に対して切断命令を自動的に入力するためのコード情報としてのバーコード４２ａを含むものとして構成されている。
【００５１】
つまり、バーコード４２ａの自動的な読み取りが可能な自動読取装置を用いることによりＮＣ切断機械２０に対して切断命令が自動的に入力されることとなり、これにより、切断作業者１がＮＣ切断機械２０を用いて行う外装材の切断作業について作業効率の向上効果が確実かつ十分に得られることとなっている。
【００５２】
また、切断情報表示実行部１１ｃは、作成した切断情報を画像表示部１２ａに表示する機能を果たすものとして構成されている。
【００５３】
これにより、切断作業者１が次に切断すべき外装材を選定するに際しての過誤が相当に少なくなり、その結果、複数の種類の形状がある外装材に対してより適切かつ確実に対応できることとなっている。
【００５４】
具体的には、図３に示すような切断作業者１に対するプレカット着工指示書３１が切断情報として画像表示部１２ａの表示画面において表示される。
【００５５】
さらに、切断情報表示実行部１１ｃは、作成した積込順序情報６１の表示を画像表示部１２ａにより表示画面を通じて実行する機能を果たすものとして構成されている。
【００５６】
これによって、切断情報作成部１１ｂを切断後における各外装材の長さ寸法の合計の値及び切断しない外装材の長さ寸法の値のうち、大きい値から順に外装材を運搬車両又は運搬車両に積み込むための台皿に積み込むための積込順序情報６１を作成する機能を果たすものとして構成することにより、運搬車両又は運搬車両に積み込むための台皿に積み込む順序が十分に顧慮されることとなり、その結果、運搬車両又は運搬車両に積み込むための台皿に対して切断した外装材の積み込みを行う積込作業者の作業効率の向上効果が得られる。
【００５７】
具体的には、図６に示すようなプレカット製品としての外装材の積み込み順序が積込順序情報６１として画像表示部１２ａの表示画面において表示される。
【００５８】
つまり、運搬車両への積み込み順序が適切に顧慮されることとなる結果、図７に示すように、外装材７１は、運搬車両又は運搬車両に積み込むための台皿におけるパレットの上において、ピラミッド状に載置されることとなり、安全で確実な積込作業が担保される。
【００５９】
（４）割付情報表示部
割付情報表示部は、作成した割付情報を外装材に貼着するためのシール４２に表示する機能を果たすものとして構成されている。
【００６０】
具体的には、割付情報表示部は、割付情報表示実行部１１ｄと、画像表示部１２ａと、印字表示部１２ｂとを含んで構成される（図２参照）。
【００６１】
ここで、割付情報表示実行部１１ｄは、作成した割付情報の表示を印字表示部１２ｂによりシール４２を通じて実行する機能を果たす。
【００６２】
具体的には、この割付情報表示実行部１１ｄとしては、例えば図４（ｂ）に示すような、施主を特定するための施主情報４３ｅ、工場プレカット分か現場切断分かの別を示すとともに現場におけるアドレスとなる製品の連番を示す組付連番４３ｄを含むもの等の割付情報４３をシール４２の表面において表示するものが用いられている。
【００６３】
ここで、割付情報表示実行部１１ｄは、作成した割付情報の表示を印字表示部１２ｂにより図面として実行する機能を果たすものとして構成されている。
【００６４】
これにより、割付情報を表示した割付図等が運搬車両で外装材とともに現場まで搬送されることとなり、その結果、無駄な経費が相当に節約されることとなっている。
【００６５】
具体的には、図５に示すような現場作業者に対する印字表示としての現場割付図５１が割付情報として印字表示部１２ｂとしてのプリンタから出力されることとなっている。
【００６６】
上記したように、このような外装材の切断管理装置１０によれば、ＮＣ切断機械２０で切断すべき外装材を選択可能とする切断情報をシール４２を通じて有することとなるので、切断作業者１は複数の種類の外装材中から次にＮＣ切断機械２０にセットすべき外装材を選定することが可能となり、複数の種類の形状がある外装材に対しても適切かつ確実に対応できる。
【００６７】
したがって、切断作業者１がＮＣ切断機械２０を用いて行う外装材の切断作業について作業効率の向上効果が確実かつ十分に得られることとなっている。
【００６８】
［外装材の切断管理方法］
図８は本発明の一実施の形態に係る外装材の切断管理方法の全体構成を説明するフローチャートである。
【００６９】
本実施の形態において、外装材の切断管理方法は、外装材の切断管理装置１０を用いて外装材の切断管理を行う方法として構成されている。
【００７０】
そして、この外装材の切断管理方法は、図８にフローチャートとして示すように、ステップ１〜ステップ４までの各ステップにより構成されている。以下、主として図８を用いて、各ステップについて説明する。
【００７１】
（１）ステップ１
これは、割付情報作成部１１ａが、建物の設計図の作製に必要な製図情報及び切断前における外装材の寸法情報に基づいて、建物に対して外装材を割り付けるための割付情報を作成するステップである。
【００７２】
（２）ステップ２
これは、切断情報作成部１１ｂが、作成した割付情報及び外装材の断面形状情報に基づいて、切断作業者１が外装材を切断するための切断情報を作成するステップである。
【００７３】
ここで、切断情報作成部１１ｂが作成する切断情報には、外装材の取付部位に応じたクリアランス（空き）を見込んで設定した外装材の製作寸法情報を含んでいる。
【００７４】
これにより、より精度の高い外装材の切断が実現できることとなり、その結果、建物に対して切断した外装材を取り付ける現場作業者の作業効率の向上効果が得られる。
【００７５】
また、ステップ２は、切断情報作成部１１ｂが、切断前における外装材別に計算した切断後における各外装材の長さ寸法の合計の値及び切断しない外装材の長さ寸法の値のうち、大きい値から順に外装材を運搬車両又は運搬車両に積み込むための台皿に積み込むための積込順序情報６１を作成するステップを含むものとして構成されている。
【００７６】
なお、このステップによって作成した積込順序情報６１は、後記するステップによって画像表示部１２ａを用いた画像表示により表示されることとなっている。
【００７７】
（３）ステップ３
これは、切断情報表示部が、作成した切断情報を、外装材に貼着するためのシールに表示するステップである。
【００７８】
具体的には、切断情報表示実行部１１ｃが、作成した切断情報の表示を印字表示部１２ｂにより外装材に貼着するためのシール４２を通じて実行する。
【００７９】
ここで、ステップ３は、切断情報表示部が、作成した切断情報を画像表示部１２ａに表示するステップを含むものとして構成されている。
【００８０】
これにより、切断作業者１が切断すべき外装材を選定するに際しての過誤が相当に少なくすなり、その結果、複数の種類の形状がある外装材に対してより適切かつ確実に対応できることとなる。
【００８１】
また、ステップ３は、切断情報表示部が、作成した積込順序情報を画像表示部１２ａに表示するステップを含むものとして構成されている
具体的には、切断情報表示実行部１１ｃが、作成した積込順序情報６１の表示を画像表示部１２ａにより表示画面を通じて実行する。
【００８２】
これにより、運搬車両又は運搬車両に積み込むための台皿に積み込む順序が十分に顧慮されることとなり、その結果、運搬車両又は運搬車両に積み込むための台皿に対して切断した外装材の積み込みを行う積込作業者の作業効率の向上効果が得られる。
【００８３】
（４）ステップ４
これは、割付情報表示部が、作成した割付情報を前記シールに表示するステップである。
【００８４】
ここで、ステップ４は、割付情報表示部が、作成した割付情報を図面として出力するステップを含むものとして構成されている。
【００８５】
具体的には、割付情報表示実行部１１ｄが、作成した割付情報の表示を印字表示部１２ｂにより図面として実行する。
【００８６】
これにより、割付情報を表示した割付図等が運搬車両で外装材とともに現場まで搬送されることとなり、その結果、無駄な経費が相当に節約されることとなる。
【００８７】
すなわち、このような外装材の切断管理方法によれば、割付情報のみならず、切断情報の印字表示を行うステップを含むものとして構成されているので、ＮＣ切断機械２０で切断すべき外装材を選択可能とする切断情報をシール４２を媒体として有することとなるので、切断作業者１は複数の種類の外装材中から次にＮＣ切断機械２０にセットすべき外装材を選定することが可能となり、複数の種類の形状がある外装材に対しても適切かつ確実に対応することが可能となる。
【００８８】
【発明の効果】
本発明に係る外装材の切断管理装置及びその方法によれば、切断作業者が切断機械を用いて行う外装材の切断作業について作業効率の向上効果が確実かつ十分に得られることとなる。
【図面の簡単な説明】
【図１】本発明の一実施の形態に係る外装材の切断管理装置の概略構成を示すブロック図である。
【図２】本発明の一実施の形態に係る外装材の切断管理装置の全体構成を示すブロック図である。
【図３】本発明の一実施の形態に係る外装材の切断管理装置の機能を説明する画面図である。
【図４】本発明の一実施の形態に係る外装材の切断管理装置の機能を説明する図（図４（ａ）は画面図、図４（ｂ）は表面図）である。
【図５】本発明の一実施の形態に係る外装材の切断管理装置の機能を説明する印字図である。
【図６】本発明の一実施の形態に係る外装材の切断管理装置の機能を説明する画面図である。
【図７】本発明の一実施の形態に係る外装材の切断管理装置の機能を説明する図（図７（ａ）は平面図、図７（ｂ）は断面図）である。
【図８】本発明の一実施の形態に係る外装材の切断管理方法の全体構成を説明するフローチャートである。
【符号の説明】
１  切断作業者
１０  切断管理装置
１１  主制御部
１１ａ  割付情報作成部
１１ｂ  切断情報作成部
１１ｃ  切断情報表示部
１１ｄ  割付情報表示部
１２  入出力部
１２ａ  画像表示部
１２ｂ  印字表示部
１２ｃ  入力部
１３  通信制御部
２０  ＮＣ切断機械
２１  制御部
２２  入力部
２３  機械部
３１  プレカット着工指示書
４１  割付情報又は切断情報
４１ａ  出荷種類
４１ｂ  階層
４１ｃ  施工連番
４１ｄ  枝番
４１ｅ  組付連番
４１ｆ  素材親ナンバー
４１ｇ  素材子ナンバー
４２  シール
４２ａ  バーコード
４３  切断情報又は割付情報
４３ａ  施工連番
４３ｂ  外装材情報
４３ｃ  施主情報
４３ｄ  組付連番
４３ｅ  切断命令情報
５１  現場割付図
６１  積込順序情報
７１  外装材
Ｂ  バス線
【図１】
2004174954.tif 000003
【図２】
2004174954.tif 000004
【図３】
2004174954.tif 000005
【図４】
2004174954.tif 000006
【図５】
2004174954.tif 000007
【図６】
2004174954.tif 000008
【図７】
2004174954.tif 000009
【図８】
2004174954.tif 000010